【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
少なくとも１つの伝達素子と、少なくとも１つの受光素子と、前記伝達素子から前記受光素子まで延長する光線の遮断を検出するための検出装置と、を有するデータ入力装置であって、
前記伝達素子及び前記受光素子の少なくとも１つは、
少なくとも１つの導波路であって、各々の導波路が、所定の波長の光の伝達のための光伝達コアと、上部クラッド、下部クラッド及び基板のうちの少なくとも１つを含む非コア部と、を有するところの導波路と、
前記非コア部内の迷光の伝達を減少させるように構成される１つ又はそれ以上の停止であって、前記１つ又はそれ以上の停止が前記光伝達コアに接触しないところの停止と、を有するデータ入力装置。
【請求項２】
前記非コア部は、前記上部クラッドまたは下部クラッドの一方が前記光伝達コアと前記１つ又はそれ以上の停止との間にあるように構成される、請求項１に記載のデータ入力装置。
【請求項３】
前記伝達素子は、前記所定の波長の光源に結合される、請求項１または２に記載のデータ入力装置。
【請求項４】
少なくとも１つの停止は、前記検出装置に到達する迷光の量を減少させる、請求項１から３の何れか一項に記載のデータ入力装置。
【請求項５】
少なくとも１つの停止は、迷光を散乱し、吸収し又は逸らし、あるいは、迷光が、前記非コア部に入射し又は前記非コア部から出射するのを防止するように構成される、請求項１から４の何れか一項に記載のデータ入力装置。
【請求項６】
少なくとも１つの停止は、複数の光散乱溝、又は、前記非コア部内に埋め込まれた粒子及び／又は空隙を有する、請求項１から５の何れか一項に記載のデータ入力装置。
【請求項７】
少なくとも１つの停止は、少なくとも前記基板内に形成される、請求項６に記載のデータ入力装置。
【請求項８】
少なくとも１つの停止は、前記非コア部に付けられる不透明なシールドを有する、請求項１から７の何れか一項に記載のデータ入力装置。
【請求項９】
少なくとも１つの停止は、前記上部クラッド、下部クラッドまたは基板のうちの１つ又はそれ以上に付けられるコーティングを有する、請求項１から８の何れか一項に記載のデータ入力装置。
【請求項１０】
前記コーティングは、前記上部クラッド、下部クラッドまたは基板の屈折率よりも若干高い屈折率を有する、請求項９に記載のデータ入力装置。
【請求項１１】
前記コーティングは、前記所定の波長を非常に吸収する物質を有する、請求項９または１０に記載のデータ入力装置。
【請求項１２】
少なくとも１つの停止は、紫外、可視及び赤外領域のスペクトルの広帯域吸収を有する物質を含む、請求項１から１１の何れか一項に記載のデータ入力装置。
【請求項１３】
少なくとも１つの停止は、光吸収染料がドーピングされた高分子を有する、請求項１から１２の何れか一項に記載のデータ入力装置。
【請求項１４】
少なくとも１つの停止は、前記導波路の端部に沿って堆積される材料を有する、請求項１から１３の何れか一項に記載のデータ入力装置。
【請求項１５】
少なくとも１つの停止は、基板と下部クラッドとの間に提供される、請求項１から１４の何れか一項に記載のデータ入力装置。
【請求項１６】
少なくとも１つの停止は、それぞれの伝達／受光素子が形成される基板を有し、前記基板は、少なくとも前記所定の波長で非常に吸収する材料を含む、請求項１から１５の何れか一項に記載のデータ入力装置。
【請求項１７】
前記基板は、紫外、可視及び赤外領域のスペクトルの広帯域吸収を有する物質を含む、請求項１６に記載のデータ入力装置。
【請求項１８】
前記基板は、前記伝達／受光素子の屈折率より若干高い屈折率を有する、請求項１６または１７に記載のデータ入力装置。
【請求項１９】
少なくとも１つの停止は、それぞれの伝達／受光素子が載置される共通ベースを有し、前記共通ベースは、少なくとも前記所定の波長で非常に吸収する材料を有し、又は、その材料で被覆される、請求項１から１８の何れか一項に記載のデータ入力装置。
【請求項２０】
前記共通ベースは、紫外、可視及び赤外領域のスペクトルの広帯域吸収を有する材料を含む、請求項１９に記載のデータ入力装置。
【請求項２１】
前記共通ベースは、前記基板より高い屈折率を有する、請求項１９または２０に記載のデータ入力装置。
【請求項２２】
それぞれの伝達または受光素子は、複数の停止を含む、請求項１から２１の何れか一項に記載のデータ入力装置。
【請求項２３】
データ入力装置の迷光の伝達を減少させる方法であって、
前記データ入力装置は、少なくとも１つの伝達素子と、少なくとも１つの受光素子と、前記伝達素子から前記受光素子まで延長する光線の遮断を検出するための検出装置と、を有し、
前記送信素子及び前記受光素子の少なくとも１つは、
少なくとも１つの導波路であって、各々の導波路が、所定の波長の光の伝達のための光伝達コアと、上部クラッド、下部クラッド及び基板のうちの少なくとも１つを含む非コア部と、を有するところの導波路を有し、
前記方法は、前記非コア部内の迷光の伝達を減少させるように構成される１つ又はそれ以上の停止を前記非コア部に提供することを含む方法であって、前記１つ又はそれ以上の停止が前記光伝達コアと接触しないところの方法を提供することを含む方法。
【請求項２４】
前記非コア部は、前記上部クラッドまたは下部クラッドの一方が前記光伝達コアと前記１つ又はそれ以上の停止との間にあるように構成される、請求項２３に記載の方法。
【請求項２５】
前記伝達素子は、前記所定の波長の光源に結合される、請求項２３または２４に記載の方法。
【請求項２６】
少なくとも１つの停止は、前記検出装置に到達する迷光の量を減少させる、請求項２３から２５の何れか一項に記載の方法。
【請求項２７】
少なくとも１つの停止は、迷光を散乱し、吸収し又は逸らし、あるいは、迷光が、前記非コア部に入射し又は前記非コア部から出射するのを防止するように構成される、請求項２３から２６に記載の方法。
【請求項２８】
１つ又はそれ以上の光散乱溝として、又は、前記非コア部内に埋め込まれた材料及び／又は空隙として少なくとも１つの停止を形成することを含む、請求項２３から２７の何れか一項に記載の方法。
【請求項２９】
少なくとも１つの停止は、少なくとも前記基板内に形成される、請求項２８に記載の方法。
【請求項３０】
少なくとも１つの停止は、前記非コア部に付けられる不透明なシールドとして提供される、請求項２３から２９の何れか一項に記載の方法。
【請求項３１】
少なくとも１つの停止は、前記上部クラッド、下部クラッドまたは基板のうちの１つ又はそれ以上に付けられるコーティングとして形成される、請求項２３から３０の何れか一項に記載の方法。
【請求項３２】
前記コーティングは、前記上部クラッド、下部クラッドまたは基板の屈折率よりも若干高い屈折率を有する、請求項３１に記載の方法。
【請求項３３】
前記コーティングは、前記所定の波長を非常に吸収する物質を有する、請求項３１または３２に記載の方法。
【請求項３４】
少なくとも１つの停止は、紫外、可視及び赤外領域のスペクトルの広帯域吸収を有する物質を含む、請求項２３から３３の何れか一項に記載の方法。
【請求項３５】
少なくとも１つの停止は、光吸収染料がドーピングされた高分子を有する、請求項２３から３４の何れか一項に記載の方法。
【請求項３６】
少なくとも１つの停止は、前記導波路の端部に沿って提供される、請求項２３から３５の何れか一項に記載の方法。
【請求項３７】
少なくとも１つの停止は、基板と下部クラッドとの間に提供される、請求項２３から３６の何れか一項に記載の方法。
【請求項３８】
少なくとも１つの停止は、それぞれの伝達／受光素子が形成される基板を有し、前記基板は、少なくとも前記所定の波長で非常に吸収する材料を含む、請求項２３から３７の何れか一項に記載の方法。
【請求項３９】
前記基板は、紫外、可視及び赤外領域のスペクトルの広帯域吸収を有する物質を含む、請求項３８に記載の方法。
【請求項４０】
前記基板は、前記伝達／受光素子の屈折率より若干高い屈折率を有する、請求項３８または３９に記載の方法。
【請求項４１】
少なくとも１つの停止は、それぞれの伝達／受光素子が載置される共通ベースとして提供され、前記共通ベースは、少なくとも前記所定の波長で非常に吸収する材料を有し、又は、その材料で被覆される、請求項２３から４０の何れか一項に記載の方法。
【請求項４２】
前記共通ベースは、紫外、可視及び赤外領域のスペクトルの広帯域吸収を有する材料を含む、請求項４１に記載の方法。
【請求項４３】
前記共通ベースは、前記基板より高い屈折率を有して形成される、請求項４１または４２に記載の方法。
【請求項４４】
それぞれの伝達または受光素子は、複数の停止を含む、請求項２３から４３の何れか一項に記載の方法。